(57)【要約】      （修正有）【課題】現行品をそのまま使用しつつ温度表示部が見やすい冷却貯蔵庫を提供する。【解決手段】冷却貯蔵庫１０は、貯蔵室を有する断熱箱体１２と、凝縮器及び圧縮機が収容される機械室２０と、断熱箱体１２を構成する扉１６もしくは機械室２０を構成するフロントパネル３０に設けられ、断熱箱体１２の庫内温度を表示する温度表示部４０と、フロントパネル３０における温度表示部４０の周囲に取り付けられ、温度表示部４０の庫内温度を拡大して表示する拡大表示レンズ５０とを備えた構成とした。【選択図】図１
2019035546.tif 000002
【特許請求の範囲】
【請求項１】
貯蔵室を有する箱体と、
凝縮器及び圧縮機が収容される機械室と、
前記箱体を構成する周壁部もしくは前記機械室を構成する周壁部に設けられ、前記箱体の庫内温度を表示する温度表示部と、
前記周壁部における前記温度表示部の周囲に取り付けられ、前記温度表示部の庫内温度を拡大して表示する拡大表示部とを備えた冷却貯蔵庫。
【請求項２】
前記拡大表示部は、一対の脚部を有し、前記温度表示部をまたぐように前記周壁部に取り付けられるブラケットと、前記一対の脚部に架設され、前記温度表示部の庫内温度を拡大する拡大レンズとを備えて構成されている請求項１に記載の冷却貯蔵庫。
【請求項３】
前記周壁部は、金属パネルとされ、前記脚部は、前記周壁部に磁力で吸着するマグネットキャッチを有する請求項２に記載の冷却貯蔵庫。
【発明の詳細な説明】
【技術分野】
【０００１】
本発明は、冷却貯蔵庫に関する。
【背景技術】
【０００２】
従来、貯蔵室の上方に機械室が配された冷却貯蔵庫として、下記特許文献１に記載の冷却貯蔵庫が知られている。機械室の前面には温度表示部が設けられており、温度表示部には庫内温度が表示されるようになっている。
【先行技術文献】
【特許文献】
【０００３】
【特許文献１】特開２０１５−２１００５５号公報
【発明の概要】
【発明が解決しようとする課題】
【０００４】
しかしながら、上記構成のように温度表示部が貯蔵室よりも上方に配置されていると、例えば比較的背丈が低い人の場合、温度表示部を下から覗き込むようにして温度表示を確認する必要がある。そこで、温度表示部を下から覗き込まなくてもいいように、冷却貯蔵庫から少し離れて正面から温度表示部を見ようとすると、温度表示が小さくなり、見にくくなってしまう。かといって、温度表示部が大きいものに取り替えようとすると、取り替え作業が必要になるため、現行品をそのまま使用できなくなる。
【０００５】
本発明は上記のような事情に基づいて完成されたものであって、現行品をそのまま使用しつつ温度表示部が見やすい冷却貯蔵庫を提供することを目的とする。
【課題を解決するための手段】
【０００６】
本発明は、貯蔵室を有する箱体と、凝縮器及び圧縮機が収容される機械室と、前記箱体を構成する周壁部もしくは前記機械室を構成する周壁部に設けられ、前記箱体の庫内温度を表示する温度表示部と、前記周壁部における前記温度表示部の周囲に取り付けられ、前記温度表示部の庫内温度を拡大して表示する拡大表示部とを備えた構成とした。このような構成によると、拡大表示部を周壁部に取り付けることで温度表示部の庫内温度を拡大して表示することができる。このようにすれば、温度表示部を取り替えたりしなくてもよく、現行品の周壁部における温度表示部の周囲に拡大表示部を後付けすればよいため、現行品をそのまま使用しつつ温度表示部を拡大して表示することができる。
【０００７】
また、前記拡大表示部は、一対の脚部を有し、前記温度表示部をまたぐように前記周壁部に取り付けられるブラケットと、前記一対の脚部に架設され、前記温度表示部の庫内温度を拡大する拡大レンズとを備えて構成されているものとすることができる。このように温度表示部をまたぐように一対の脚部を周壁部に取り付けると、拡大表示部を安定した姿勢で周壁部に取り付けることができる。また、ブラケットが温度表示部を邪魔しないため、正面から見て拡大レンズを温度表示部に重ねて配置することができる。
【０００８】
また、前記周壁部は、金属パネルとされ、前記脚部は、前記周壁部に磁力で吸着するマグネットキャッチを有するものとされているものとしてもよい。このようにすれば、マグネットキャッチによって温度表示部を周壁部に取り付けることができるため、温度表示部の脱着が容易になる。
【発明の効果】
【０００９】
本発明によれば、現行品をそのまま使用しつつ温度表示部が見やすい冷却貯蔵庫を提供することができる。
【図面の簡単な説明】
【００１０】
【図１】本発明の実施形態に係る冷却貯蔵庫を示す正面図
【図２】図１における温度表示部を拡大して示す拡大正面図
【図３】拡大表示レンズの正面図
【図４】図３におけるＡ−Ａ線断面図
【図５】拡大表示レンズを取り付ける前の冷却貯蔵庫を示す斜視図
【図６】拡大表示レンズを取り付ける前の冷却貯蔵庫の内部構造を示す断面図
【図７】板状部材を取り外した機械室を示す斜視図
【発明を実施するための形態】
【００１１】
＜実施形態＞
本発明の実施形態１を図１から図７によって説明する。本実施形態では、図１に示すように、２ドア式の冷却貯蔵庫１０を例示する。冷却貯蔵庫１０は、図５及び図６に示すように、貯蔵物が配される貯蔵室１１を有する断熱箱体１２（箱体）と、断熱箱体１２の上方に配された機械室２０と、を備える。断熱箱体１２には、上下方向に配列された扉１６，１６が回動可能に取り付けられており、貯蔵室１１は扉１６によって開閉可能な構成となっている。なお、以下の説明では、扉１６側が前側（図６では左側）、扉１６とは反対側が後側として説明する。また、正面視（冷却貯蔵庫１０を前側から見た状態）における左右方向が冷却貯蔵庫１０の左右方向である。
【００１２】
機械室２０には、図６に示すように、冷却装置２１及び電装箱３４が収容されている。冷却装置２１は、凝縮器２２と、凝縮器ファン２３と、圧縮機２４と、を備える。冷却装置２１は、断熱箱体１２の上部（冷却器室２６）に配された冷却器２５と冷媒管（図示せず）によって循環接続されている。これにより、冷却装置２１が駆動することで冷却器２５が冷気を生成する構成となっている。また、冷却器室２６には、貯蔵室１１内に冷気が循環供給するための庫内ファン２８が配されている。
【００１３】
機械室２０は、図７に示すように、断熱箱体１２の上面の四隅に立設された柱体３３と、左右一対のサイドパネル３１，３１と、左右一対の柱体３３を連結する長手状の補強材３２と、フロントパネル３０とを備える。４本の柱体３３、一対のサイドパネル３１，３１、補強材３２及びフロントパネル３０は、機械室２０の周壁部を構成している。機械室２０は、上方に開口された開口部２７を有している。開口部２７は、各パネル３０，３１の上端との間に隙間を有した状態で、板状部材２９によって上方から覆われている。
【００１４】
フロントパネル３０は、前側の一対の柱体３３，３３に対して回動可能に取り付けられており、機械室２０はフロントパネル３０によって開閉可能となっている。なお、機械室２０は、後方にも開口されている。機械室２０の周壁部を構成する各部材は、金属製のパネル部材（金属パネル）によってそれぞれ構成されている。
【００１５】
さて、フロントパネル３０の下部右寄りには、温度表示部４０が設けられている。温度表示部４０は横長の楕円形状をなし、その中央部には貯蔵室１１の庫内温度を表示するモニター４１が設けられている。モニター４１は例えば液晶モニターによって構成され、フロントパネル３０の表面から奥まった位置に設置されている。
【００１６】
図２に示すように、温度表示部４０には、必要に応じて拡大表示レンズ５０が後付け可能とされている。拡大表示レンズ５０は、モニター４１に表示された庫内温度を拡大して表示する拡大鏡である。拡大表示レンズ５０は、図３および図４に示すように、縦長の長方形状をなすシートレンズ５１、シートレンズ５１を保持するブラケット５２、一対のマグネットキャッチ５３などを備えて構成されている。ブラケット５２は、シートレンズ５１の外周に配された枠状のベゼル部５４、ベゼル部５４の上下両端部から後方に突出して設けられた一対の脚部５５などによって構成されている。マグネットキャッチ５３は永久磁石を含んで構成され、脚部５５に吸着されて固定されているため、マグネットキャッチ５３が意匠面に現れることはない。また、フロントパネル３０に拡大表示レンズ５０を後付けできるようにしたから、現行品の冷却貯蔵庫１０をそのまま使用することができ、低コストで改善することが可能である。
【００１７】
シートレンズ５１は、一対の脚部５５に架設されている。図２に示すように、一対の脚部５５は、温度表示部４０の周囲のうち上下両側の周縁部に取り付け固定されている。このため、ブラケット５２は、温度表示部４０を上下方向にまたぐようにフロントパネル３０に磁力で取り付けられている。このようにすれば、拡大表示レンズ５０を正面から見た場合に、シートレンズ５１が温度表示部４０と重なって配置され、温度表示部４０がブラケット５２によって邪魔されることはない。図２に示すように、モニター４１に表示された庫内温度は、シートレンズ５１によって２〜３倍に拡大表示されており、冷却貯蔵庫１０から少し離れた位置からでも庫内温度を容易に確認することができる。
【００１８】
以上のように本実施形態では、拡大表示部（拡大表示レンズ５０）を周壁部（フロントパネル３０）に取り付けることで温度表示部４０の庫内温度を拡大して表示することができる。このようにすれば、温度表示部４０を取り替えたりしなくてもよく、現行品の周壁部における温度表示部４０の周囲に拡大表示部を後付けすればよいため、現行品をそのまま使用しつつ温度表示部４０を拡大して表示することができる。
【００１９】
また、拡大表示部は、一対の脚部５５を有し、温度表示部４０をまたぐように周壁部に取り付けられるブラケット５２と、一対の脚部５５に架設され、温度表示部４０の庫内温度を拡大する拡大レンズ（シートレンズ５１）とを備えて構成されているものとすることができる。このように温度表示部４０をまたぐように一対の脚部５５を周壁部に取り付けると、拡大表示部５０を安定した姿勢で周壁部に取り付けることができる。また、ブラケット５２が温度表示部４０を邪魔しないため、正面から見て拡大レンズを温度表示部４０に重ねて配置することができる。
【００２０】
また、周壁部は、金属パネルとされ、脚部５５は、周壁部に磁力で吸着するマグネットキャッチ５３を有するものとされているものとしてもよい。このようにすれば、マグネットキャッチ５３によって温度表示部を周壁部に取り付けることができるため、温度表示部の脱着が容易になる。
【００２１】
＜他の実施形態＞
本発明は上記記述及び図面によって説明した実施形態に限定されるものではなく、例えば次のような実施形態も本発明の技術的範囲に含まれる。
（１）上記実施形態では冷却機能のみを有する冷却貯蔵庫１０を例示したが、加熱や温蔵などの機能をさらに備えた冷却貯蔵庫としてもよい。
（２）上記実施形態ではフロントパネル３０（機械室２０を構成する周壁部）に温度表示部４０が設けられた冷却貯蔵庫１０を例示したが、扉１６（断熱箱体１２を構成する周壁部）に温度表示部が設けられた冷却貯蔵庫としてもよい。
（３）上記実施形態では一対の脚部５５にシートレンズ５１が架設された拡大表示レンズ５０を例示したが、シートレンズが一対の脚部を有するものとしてもよい。
（４）上記実施形態ではマグネットキャッチ５３によって拡大表示レンズ５０がフロントパネル３０に吸着固定されているものの、両面テープや接着剤などによって拡大表示レンズをフロントパネル３０に固定してもよい。
【符号の説明】
【００２２】
１０…冷却貯蔵庫  １１…貯蔵室  １２…断熱箱体（箱体）  １６…扉（周壁部）  ２０…機械室  ２２…凝縮器  ２４…圧縮機  ３０…フロントパネル（周壁部）  ４０…温度表示部  ５０…拡大表示レンズ（拡大表示部）  ５１…シートレンズ（拡大レンズ）  ５２…ブラケット  ５３…マグネットキャッチ  ５５…脚部
【図１】
2019035546.tif 000003
【図２】
2019035546.tif 000004
【図３】
2019035546.tif 000005
【図４】
2019035546.tif 000006
【図５】
2019035546.tif 000007
【図６】
2019035546.tif 000008
【図７】
2019035546.tif 000009